【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】
引出しの１つが開けられると、もう一つの引出しが開くのを防止する為の引出しのスライド用インターロックアセンブリーであって、
間隔を開けて取付けられる第１と第２のスライドを備え、第２のスライドが第１のスライドの上方に配置され且つ該第１のスライドに対して垂直方向にずらされており、各スライドは、ユニットハウジングに取り付けられる固定部材と引出しの一つに取り付けられる伸縮部材とからなり、該伸縮部材は該固定部材の前端部から延び出すことができ、
各固定部材に摺動可能に且つ垂直に嵌め込んである上下一対の作動追従部材を備え、該作動追従部材は固定部材の前端部の近傍に互いに対向する関係で配置され、各作動追従部材は一つの伸縮部材の延伸をブロックする位置とブロックしない位置の間で摺動可能であり、
複数の長手方向のロッドを備え、一つのロッドの一端が第１のスライドの上部作動追従部材に取外し可能に結合され、もう一方の端が第２のスライドの下部作動追従部材に取外し可能に結合され、
第１のスライドの伸縮部材が延びることによって第１のスライドの上部作動追従部材と該一つのロッドを上方向に動かし、それによって第２のスライドの下部作動追従部材を上方向に動かし、第２のスライドの伸縮部材の延伸をブロックするようにしたことを特徴とするインターロックアセンブリー。
【請求項２】
該一つのロッドの端部が作動追従部材に摺動可能に結合されている請求項１に記載のインターロックアセンブリー。
【請求項３】
伸縮部材が延び出す際に作動追従部材に接触し、それを変位させるように、各伸縮部材の前端部に結合された作動部材を更に備えている請求項１に記載のインターロックアセンブリー。
【請求項４】
一つのスライドの該作動部材は、該一つのスライドの伸縮部材が延び出す際に該一つのスライドの上部作動追従部材と接触し、上部作動追従部材を持ち上げるように、上方傾斜面を備えている請求項３に記載のインターロックアセンブリー。
【請求項５】
該作動部材の上方傾斜面が、伸縮部材の長手軸線に対して、約４５度の角度で傾斜している請求項４に記載のインターロックアセンブリー。
【請求項６】
該作動部材の上方傾斜面と接触している上部作動追従部材の表面が、該作動部材の上方傾斜面と平行になるように傾斜している請求項５に記載のインターロックアセンブリー。
【請求項７】
上方傾斜面を持った作動部材は、該一つのスライドの下部作動追従部材と接触するように、更に下方傾斜面を備えており、該一つのスライドの上部作動追従部材の上方傾斜面への接触と該一つのスライドの下部作動追従部材の下方傾斜面への接触との同時的接触によって作動部材の上方及び下方傾斜面に加わる圧力によって、該一つのスライドの作動部材、並びに該一つのスライドの伸縮部材が、強制的に閉じた位置に戻されるようになっている請求項４に記載のインターロックアセンブリー。
【請求項８】
作動部材の下方傾斜面が、伸縮部材の長手軸線に対して、約４５度の角度で傾斜している請求項７に記載のインターロックアセンブリー。
【請求項９】
作動部材の下方傾斜面と接触している下部作動追従部材の表面が、作動部材の下方傾斜面と平行になるように傾斜している請求項７に記載のインターロックアセンブリー。
【請求項１０】
各スライドの上下それぞれの作動追従部材は、垂直方向の突起を更に設けられており、作動追従部材が互いに向かって移動すると、突起が互いに当接するようになっている請求項１に記載のインターロックアセンブリー。
【請求項１１】
各固定部材に繋がれ、各固定部材に嵌め込まれた作動追従部材の垂直方向の突起を覆うように延びる保持用クリップが更に設けられている請求項１に記載のインターロックアセンブリー。
【請求項１２】
スライドの伸縮部材が延びるのをブロックしない位置に各スライド内の作動部が移動するのを防止する為の中央ロッキング手段が更に設けられている請求項１０に記載のインターロックアセンブリー。
【請求項１３】
ロッキング手段が、第２のスライドの上方に配置されたロック部材から成り、該ロック部材はロックされる位置とロックされない位置の間で摺動可能であり、ロックされる位置にある時には、ロック部材が、第２のスライドの伸縮部材が延びるのをブロックしない位置まで第２のスライドの上部作動追従部材が摺動するのを防止できるような位置に来るようにしてある請求項１２に記載のインターロックアセンブリー。
【請求項１４】
中央ロッキング手段は該ロッドのいずれかの通路に沿って配置され、かつ、少なくとも一つのロッドを付勢し、上下の作動追従部材を変位させることによって、開けられた引出しの動きを模倣し、それによって、伸縮部材が延びるのをブロックするようになっている請求項１２に記載のインターロックアセンブリー。
【請求項１５】
請求項１に記載のインターロックアセンブリーであって、
該第２のスライドの上方に備えられた第３のスライドを備え、該第３のスライドはユニットハウジングに取付けられる固定部材と一つの引出しに取付けられる伸縮部材から成り、固定部材の前端部から伸縮部材が延び出すことができ、
該第３のスライドの固定部材に摺動可能に垂直に嵌め込んである上下一対の作動追従部材を備え、該作動追従部材は固定部材の前端部の近傍に互いに対向する関係で設けてあり、各作動追従部材は第３のスライドの伸縮部材の延伸をブロックする位置とブロックしない位置の間を摺動可能であり、
一端が第２のスライドの上部作動追従部材に取外し可能結合され、もう一方の端が第３のスライドの下部作動追従部材に取外し可能に結合されている垂直方向のもう一つのロッドを備え、
一つのスライドの伸縮部材の延伸が、そのスライドの上部作動追従部材、及び延びているスライドより上方にあるスライドの下部作動追従部材を変位させ、変位した下部作動追従部材がそのスライドの伸縮部材が延びないようにブロックし、その延びているスライドより下方にあるスライドの上部作動追従部材がそのスライドの伸縮部材の延伸をブロックする位置からブロックしない位置へ動くのを防止するようにしたインターロックアセンブリー。
【請求項１６】
引出しの１つが開けられると、もう一つの引出しが開くのを防止する為の引出し用スライドのインターロックアセンブリーであって、
第１と第２のスライドを備え、第２のスライドが第１のスライドの上方に設けられ、各スライドは、引出しを備えたユニットに取り付けられる固定部材と引出しに取付ける伸縮部材とからなり、該伸縮部材が該固定部材の前端部から延び出すことができ、
各伸縮部材の前端部に接続された作動部材を備え、
第２のスライドの伸縮部材の前端部に接続された作動部材と係合する為の下部作動追従部材を備え、該下部作動追従部材は第２のスライドの固定部材の前端近傍に配置され、第２のスライドの固定部材に摺動可能に結合され、
第１のスライドの伸縮部材の前端部に接続された作動部材と係合する為の上部作動追従部材を備え、該上部作動追従部材は第１のスライドの固定部材の前端近傍に配置され、第１のスライドの固定部材に摺動可能に結合され、
一端が上部作動追従部材に取外し可能に接続され、もう一方の端が下部作動追従部材に取外し可能に接続されているロッドを備え、
第１のスライドの伸縮部材の延伸が上部作動追従部材を上方向に動かし、それによってロッドが上方向に動き、そして第２のスライドの下部作動追従部材を上方向に動かして、第２のスライドの伸縮部材がブロックされて、その延伸が妨げられ、第２のスライドの伸縮部材の延伸が第１のスライドの伸縮部材の延伸をブロックしない位置に第１のスライドの上部作動追従部材が移動するのを防止し、第１のスライドの伸縮部材の延伸を防止するようにしたインターロックアセンブリー。
【請求項１７】
第１のスライドの伸縮部材の前端部に接続された作動部材が、第１のスライドの伸縮部材が延びる際に上部作動追従部材と接触し、上部作動追従部材を変位させる為の上方傾斜面を含む請求項１６に記載のインターロックアセンブリー。
【請求項１８】
第２のスライドの伸縮部材の前端部に接続された作動部材が、下部作動追従部材に接触する為の下方傾斜面を含む請求項１６に記載のインターロックアセンブリー。
【請求項１９】
一つの作動追従部材が伸縮部材の延伸をブロックする位置へ動くのを防止するための、ロック手段を備えている請求項１６に記載のインターロックアセンブリー。
【請求項２０】
複数の引出しの１つが開けられると、もう一つの引出しが開くのを防止する為の調節可能な引出しのスライド用インターロックアセンブリーであって、
最上部のスライドと最下部のスライド間に垂直方向に配置された少なくとも１つの中間スライドを備え、各スライドが、ユニットハウジングに取り付けられる固定部材と引出しの一つに取り付けられる伸縮部材を含み、該伸縮部材は固定部材の前端部から延び出すことができ、
各中間スライドの伸縮部材の延び出しをブロックし、防止するために、各中間スライドの固定部材の前端部の近傍に互いに対向し、変位する関係で摺動可能に嵌め込んである上下の作動追従部材を備え、
最上部のスライドの前端部の近傍に摺動可能に嵌め込んである上部作動追従部材を備え、
最下部のスライドの前端部の近傍に摺動可能に嵌め込んである下部作動追従部材を備え、
各伸縮部材の前端部の近傍に結合された作動部材を備え、
連続するスライドに嵌め込まれた上下各一対の作動追従部材を相互に接続するためのロッドを備え、該ロッドの一端部が一つのスライドの上部作動追従部材に摺動関係で取り外し可能に接続され、該ロッドの他端部がその次の下部作動追従部材に摺動関係で取り外し可能に接続され、
ロッドの長さとスライド間の間隔を変えることによって、該アセンブリーが異なった高さの引出しに対応できるようになっていることを特徴とするインターロックアセンブリー。
【請求項２１】
最上部のスライドの固定部材の前端部の近傍に最上部のスライドの下部作動追従部材と対向し、変位する関係で摺動可能に嵌め込んである上部作動追従部材を備える請求項２０に記載のインターロックアセンブリー。
【請求項２２】
最上部のスライドの上方に配置されたロック部材を備え、該ロック部材はロック位置と非ロック位置の間で摺動可能であり、ロック位置にある時には、ロック部材が、最上部のスライドの伸縮部材の延伸をブロックしない位置へ最上部のスライドの上部作動追従部材が摺動するのを防止できるように配置されている請求項２１に記載のインターロックアセンブリー。
【請求項２３】
最下部のスライドの固定部材の前端部の近傍に最下部のスライドの上部作動追従部材と対向し、変位する関係で摺動可能に嵌め込んである下部作動追従部材を備える請求項２０に記載のインターロックアセンブリー。
【請求項２４】
最下部のスライドの下方に配置されたロック部材を備え、該ロック部材はロック位置と非ロック位置の間で摺動可能であり、ロック位置にある時には、ロック部材が、最下部のスライドの伸縮部材の延伸をブロックしない位置へ最下部のスライドの上部作動追従部材が摺動するのを防止できるように配置されている請求項２３に記載のインターロックアセンブリー。
【請求項２５】
ロッドの一つは上方部分と該上方部分とは別の下方部分からなる２部分ロッドからなり、上方部分の端部は一つのスライドの下部作動追従部材に取り外し可能に結合され、下方部分の端部は該一つのスライドの直下にあるスライドの上部作動追従部材へ取り外し可能に結合され、さらに、２部分ロッドの通路に沿って配置されたロック部材を備え、該ロック部材は２部分ロッドを付勢する位置へ摺動可能であり、該２部分ロッドの上方部分を下方部分から変位させ、該２部分ロッドに接続された上部及び下部作動追従部材を対応する伸縮部材の延伸をブロックする位置に変位させる請求項２０に記載のインターロックアセンブリー。